(57)【要約】      （修正有）【課題】菓子等食品や小さい工作物を照明して、かつ、実用的に簡易に出し入れできる照明付き開閉箱を提供する。【解決手段】照明付き開閉箱は、その箱型筐体とこれの上部を覆うフタよりなり、該筐体の縁辺部空間内に照明装置を装着し該筐体内部に容器状に設けられる凹状陥没部に収納された充填物等を照明するとともに、外部へも細孔を通して発光しディスプレイ効果を発揮する。フタは筐体の縁辺部と一端でヒンジを通して接合され、これの開閉で充填物の収納や取り出しに供されるとともに、その相対位置を検知して光源装置の入力制御にも用いられる。【選択図】図１
0003179838.tif 000002
【実用新案登録請求の範囲】
【請求項１】
額縁状矩形筐体の上方天面側の外周側面に沿った縁辺部およびこれに連結して底面につながる内周側側壁で該筐体中央に容器状に形成される矩形凹状陥没部を有しここに食品や工作物等充填物および紙等に描かれた図画、文書等を適宜収納でき、少なくとも一つの該筐体外周の側面、縁辺部ならびに側壁および底面で構成される空間内に電池等電源およびこれにより駆動される光源等電気系を内包し該充填物や図画等収納物を該光源で照明するとともに該筐体の縁辺部や側壁に設けられる細孔から該光源の光が漏れ出るようにし、かつその上方天面側縁辺部の一端に有するヒンジ部を介して回動し該筐体の開放部を覆えるフタを一体的に設けてなる照明付き開閉箱。
【請求項２】
請求項１に記載の照明付き開閉箱においてフタを透明な紙、アクリル、ポリエチレン系（ＰＥＴ）やスチレン系（ＡＳ）等樹脂の板材もしくは折り畳み可能なシート材で構成してなる照明付き開閉箱。
【請求項３】
請求項１に記載の照明付き開閉箱において構成材料をケント紙、厚紙等紙や樹脂シート材の切り起こし、折り畳みで箱状構造を生成してなる照明付き開閉箱。
【請求項４】
請求項１に記載の照明付き開閉箱においてフタを不透明な紙、樹脂、木材あるいは金属材料で構成するとき、フタを閉じたとき額縁状矩形筐体の縁辺部に設けられる細孔や充填物容器相当位置に合致する部分にフタにも細孔や窓等開口部を適宜設け筐体からの光が通過して外部から見えるようにしてなる照明付き開閉箱。
【請求項５】
請求項１に記載の照明付き開閉箱においてフタの形状を縁辺部内のみに適合するようにし、あわせてヒンジ部も縁辺部内側の側壁に設けるようにしてなる照明付き開閉箱。
【請求項６】
請求項１に記載の照明付き開閉箱において筐体の底面に透明なアクリル等樹脂やガラスよりなるパネルを設けこれに光源からの光を導いて適宜発光可能とするようにしてなる照明付き開閉箱。
【請求項７】
請求項１に記載の照明付き開閉箱において筐体とこれに一体的に付随するフタが閉じられ互いに密着しているときと、フタが開かれ互いに離れているときの各状態を検知して光源光の入力をそれぞれ切ったり入れたり、もしくは照度や照明状態を変化させるように制御してなる照明付き開閉箱。
【請求項８】
請求項１に記載の照明付き開閉箱において筐体とこれに一体的に付随するフタが閉じられ互いに密着しているときと、フタが開かれ互いに離れているときの各状態を検知して別途設けられる音楽や擬音等の発音装置の入力をそれぞれ切ったり入れたり、もしくは発音状態を変化させるよう制御してなる照明付き開閉箱。
【請求項９】
請求項１に記載の照明付き開閉箱において筐体とこれに一体的に付随するフタの上から見た外形形状の少なくともどちらか一方または両方を円形、楕円形、星形あるいはハート形等非矩形形状にしてなる照明付き開閉箱。
【考案の詳細な説明】
【技術分野】
【０００１】本考案は矩形形状の額縁状筐体の縁辺内部に照明装置を持ち、その内部に装着される図画、写真、文書あるいは食品や工作物、宝飾品等充填物等（以下充填物）を照明しあわせて外部への発光可能な箱体に関するものである。
【背景技術】
【０００２】近時図画、写真、文書あるいは工作物等の現物をそのまま照明表示する額縁や写真立てのようなフロントライト型の装置が開発され普及しつつありその応用も進みつつある。
【考案の開示】
【０００３】本考案は、筐体の外周壁面の内部に設けられた光源でその内部に収納された充填物をフロント照明できるとともに筐体外部への発光によるディスプレイ効果を発揮させ、あわせて該充填物の出し入れを簡易に行える照明付き収納箱を提供する。
【考案が解決しようとする課題】
【０００４】従来既述の充填物を照明してかつ実用的に簡易に出し入れできる専用の容器状収納箱はほとんど市場に見られない。近時照明付き額縁が開発されこの用途に転用することは可能であるがそのままでは充填する方法や箱の材料は額縁の方法を用いているため使い勝手が悪く実用性に乏しかった。
【課題を解決するための手段】
【０００５】本考案の照明付き開閉箱はその箱型筐体とこれの上部を覆うフタよりなり、該筐体の縁辺部空間内に照明装置を装着し該筐体内部に容器状に設けられる凹状陥没部に収納された充填物等を照明するとともに外部へも細孔を通して発光しディスプレイ効果を発揮する。ここに該フタは該筐体の縁辺部と一端でヒンジを通して接合されこれの開閉で該充填物の収納や取り出しに供されるとともに、その相対位置を検知して光源装置の入力制御にも用いられる。
【考案の効果】
【０００６】本考案により、該筐体の上面を覆うフタをヒンジ部を中心に回動させて開閉させることにより容器部に充填物を該筐体の上面から容易に出し入れできるようになるとともに、この充填物を照明したり筐体から発光させてディスプレイ効果を得たりすることが可能となる。また該フタの開閉にあわせて照明の作動も制御できより上記効果を向上できる。バレンタイン、桃の節句、こどもの日、クリスマス等の年中行事においてチョコレートや菓子類に図画や文言を描いたり印刷したりしたものを添えて箱に入れることは従来から行われるが、これを箱の上面（正面）方向から自由にアクセスして出し入れでき、合わせて内蔵の照明装置で照明しデスプレィ効果も向上させることが可能となる。食品以外に人形や織物等工作品等を充填したりフタの開閉にあわせて音楽等発音装置も作動させたりと展開性に富む。また本筐体やフタを含めた箱体は紙や樹脂シート等を一体的に切り起こして適宜折り込み組み立てる構造とすることも可能で安価で簡易な装置を提供し斬新な付加価値を創出し、産業の振興に寄与することが期待される。
【実施例】
【０００７】以下、本考案を図１および図２を用いて応用実施例について説明する。図１は本考案による装置の代表例としての矩形形状の照明付き開閉箱の構造の概略斜視図であり、図２は図１におけるＸ−Ｘ側断面図である。本考案による箱型装置の構造は主に筐体（１）とフタ（２）で構成される。該筐体（１）は紙、樹脂もしくは薄い木質板等材料より成り、主に上面の縁辺部（１１）、側面（１３）および底面（１４）より成り、該縁辺部（３）およびこれの内側の端部から該底面（１４）につながる側壁（１２）を有しこれらで該筐体（１）の中央に矩形の凹状陥没部となる容器構造を構成し、ここには先述の菓子や食品あるいは工作物や図画等の充填物（５）を収納できる。また前記容器相当部の周囲の少なくとも一辺はその内部が図２の断面図で示されるように側面（１３）、縁辺部（１１）、側壁（１２）および底面（１４）で矩形断面の空間部分を構成し、内部に光源（３）およびその電源（７）等より成る光源装置が配設される。光源（３）には発光ダイオード（ＬＥＤ）等小型の電球を用いこれを電池等電源（７）で駆動し両者は連絡用配線および電気回路（図示せず）で連結される。また該光源（３）は側壁（１２）内に設けられる光源用窓部（３１）から出た光が充填物（５）を効果的に照明できるように前記矩形断面の空間部分内に適宜配設され該側壁（１２）には光源用窓部（３１）が適宜設けられここから光が出て充填物（５）を照明する。また縁辺部（１１）にも適宜細孔（４）を設けここからも光が出て外部へ発光しディスプレイとして作用する。フタ（２）は該筐体（１）の縁辺部（１１）の一端に設けられるヒンジ部（２１）で接合され図１の回転方向矢印（１０）で示すように回動し該筐体（１）の上面を覆ったり（閉状態）、図１の状態のように開いたり（開状態）できる。【０００８】以上により該筐体（１）内に充填物（５）等をフタ（２）を開いて照明するとともに適宜収納したり取り出したりできるようになる。なおフタ（２）材料に透明な紙、ポリエチレン系（ＰＥＴ）やスチレン系（ＡＳ）、アクリル系等樹脂（透明剤）を用いるときは筐体（１）内の充填物（５）等内部が透けて見えだけでなく照明時にその光を上記板の背面で反射し照明効果を向上させ細孔（４）からの出光も通過させる。また、前述のフタ（２）は非透明材料でもよくこの際は必要に応じてこれを閉じたとき筐体（１）の縁辺部（１１）上の該細孔（４）に対応する位置に適宜窓あるいは細孔を設けたり充填物（５）上面相当位置のみに前述の透明材を用いたりすることもできる。この結果、フタ（２）の開閉それぞれの状態に応じて適宜光の作用効果を選択できる。なお、フタ（２）の開閉を検知するセンサー等装置（図示せず）を用いれば例えばフタ（２）が開いた時のみ照明がなされるように制御可能となる。前記装置の一例としてフタ（２）が閉じられ該筐体（１）を覆ってその縁辺部（１１）の所定位置に接触した時その押し圧力で電源入力が切れ、離れた時すなわちフタ（２）が開けられた時には電源入力が入るように設定する。なお該筐体（１）はケント紙、厚紙等紙やポリエチレン系（ＰＥＴ）やスチレン系（ＡＳ）樹脂のシートを用い全体を同じ材料から切り起し、折り畳んで箱状構造を生成できるよう構成（図示せず）すると構造形成の簡易化に有効である。ヒンジ部（２１）は前記材料等では単に折り曲げるだけで生成されるが特に必要があればテープ等で代替できる。なお、該筐体（１）および該フタ（２）はともにその外面に直接印刷したりラベル等印刷物等を貼着したり（図示せず）して意匠を整えることができる。【０００９】応用例として、該光源（５）に変色するＬＥＤを用いると多彩に変化する照明や光点ができディスプレイ効果がさらに向上する。また既述のフタ（２）の開閉を検知するセンサー等装置にあわせてあらかじめ設けた音楽や擬音等発音装置（図示せず）を作動させることも可能である。なおフタ（２）が筐体（１）の縁辺部（１１）内のみ適合するような形状とすることも可能でこの際は両者を連結するヒンジ部（２１）は該縁辺部（１１）の内側の側壁（１２）に設けられる。こうすれば縁辺部（１１）上の細孔（４）はフタ（２）の開閉に関係なく常に外部から見えここに宝飾等を設ける場合都合がよく、細孔（４）からの光も常時出光可能となる。また、底面（１４）上に透明なアクリル等樹脂やガラス材のサイドライト型のバックライト用パネル（６）を装着し図２のようにその側断面から光源用窓部（３１）を通して光源（３）の光を入射すればこの表面からも出光し充填物（５）の照明に用い得る。
【図面の簡単な説明】
【００１０】
【図１】本考案に係る照明付きスライド箱構造の概略斜視図である。
【図２】図１におけるＸ−Ｘ側断面図である。
【符号の説明】
【００１１】（１）筐体  （１１）縁辺部  （１２）側壁  （１３）側面  （１４）底面  （２）フタ  （２１）ヒンジ部  （３）光源  （３１）光源用窓部  （４）細孔  （５）充填物  （６）パネル  （７）電源  （１０）回転方向矢印
【図１】
0003179838.tif 000003
【図２】
0003179838.tif 000004